(57)【特許請求の範囲】
【請求項１】
一方が収納ケースに収納された昇降棚の両側壁に取付けられ、他方が前記収納ケースの内側壁側に設置される機構ボックスに取付けられた一対の平行支持リンクによって、前記昇降棚を前記収納ケースから前方下方に移動自在とする昇降装置であって、
前記平行支持リンクの各々において対向する支持リンクの少なくとも一方同士に架け渡して、それらを連結固定する連結体と、
前記機構ボックス内に移動自在に配置され、前記連結体が固定される前記支持リンクの各々を脱着自在に軸支する軸体とを備え、
前記軸体は前記支持リンク側に突き出るようにバネ手段によって付勢され、
前記連結体の両端部には軸受が取付けられ、
前記軸受及び前記連結体が固定される前記支持リンクの部分には、前記軸体が突き出たときにこれに係合するように整列された開口が各々形成される、昇降装置。
【請求項２】
一方が収納ケースに収納された昇降棚の両側壁に取付けられ、他方が前記収納ケースの内側壁側に設置される機構ボックスに取付けられた一対の平行支持リンクによって、前記昇降棚を前記収納ケースから前方下方に移動自在とする昇降装置であって、
前記平行支持リンクの各々において対向する支持リンクの少なくとも一方同士に架け渡して、それらを連結固定する連結体と、
前記機構ボックス内に移動自在に配置され、前記連結体が固定される前記支持リンクの各々を脱着自在に軸支する軸体とを備え、
前記軸体は、前記支持リンク側に移動及び停止できるスライダーに取付けられ、
前記軸受及び前記連結体が固定される前記支持リンクの部分には、前記軸体が突き出たときにこれに係合するように整列された開口が各々形成される、昇降装置。
【請求項３】
前記軸体はその中央部がくびれた首部を有し、
前記連結体及び前記軸受には、これらを貫通して前記首部に当接するセットボルトが螺合自在に取付けられる、請求項２記載の昇降装置。
【請求項４】
一方が収納ケースに収納された昇降棚の両側壁に取付けられ、他方が前記収納ケースの内側壁側に設置される機構ボックスに取付けられた一対の平行支持リンクによって、前記昇降棚を前記収納ケースから前方下方に移動自在とする昇降装置であって、
前記平行支持リンクの各々において対向する支持リンクの少なくとも一方同士に架け渡して、これらを連結固定する連結体と、
前記連結体の両端部内に収納され、前記連結体が固定された前記支持リンクの部分を貫通して前記機構ボックス側に対して突出し自在に係合し、前記連結体が固定された前記支持リンクの各々を軸支する軸体とを備えた、昇降装置。
【請求項５】
前記軸体は前記機構ボックス側に突き出るようにバネ手段によって付勢され、
前記機構ボックスには、前記バネ手段に抗してピンを介して前記軸体を前記連結体側に移動させ、且つ所定の位置にに停止させるスライダー取付けられる、請求項４記載の昇降装置。
【請求項６】
前記軸体は、その中央部がくびれた首部を有し、且つ前記連結体の両端部に取付けられた軸保持体内に配置され、
前記連結体及び前記軸保持体には、これらを貫通して前記首部に当接するセットボルトが螺合自在に取付けられる、請求項５記載の昇降装置。
【発明の詳細な説明】
【０００１】
【発明の属する技術分野】
この発明は昇降装置に関し、特に台所の昇降棚や玄関の靴箱等に用いられる昇降装置に関するものである。
【０００２】
【従来の技術】
図４は従来の台所の昇降棚として用いられる昇降装置の外観形状を示した正面図であり、図５は図４で示したＶ−Ｖラインの断面図である。
【０００３】
これらの図を参照して、前方が開放の箱型形状よりなる収納ケース１２の内部に、同じく前方が箱型形状の昇降棚６３が収納されている。昇降棚６３の左側面には、前支持リンク２８ａ及び後支持リンク６７ａよりなる平行支持リンクが取付板６８ａを介して取付けられている。同様に昇降棚６３の右側面には前支持リンク２８ｂ及び後支持リンク６７ｂよりなる平行支持リンクが取付板６８ｂを介して取付けられている。上述のように昇降装置は左右対象の構造となっているため、以下左側面側について主に説明する。
【０００４】
前支持リンク２８ａの下方端部は、回動軸７２ａを中心として回動自在に機構ボックス７０ａの側面に取付けられている。一方、後支持リンク６７ａの下方部は、回動軸７１ａを中心として回動自在に機構ボックス７０ａの側面に取付けられている。回動軸７１ａは機構ボックス７０ａの内部に挿通されて軸支され、図示しない渦巻きバネが機構ボックス７０ａ内部において回動軸７１ａに対して取付けられている。渦巻きバネは昇降棚６３の昇降動作に要する力を軽減するために設けられているものである。
【０００５】
又、後支持リンク６７ａの下方端部には軸７３ａが取付けられ、この軸７３ａは機構ボックス７０ａ内部に挿通されて、そこに図示しないオイルダンパーの一端が接続されている。ここでオイルダンパーは、昇降棚６３の昇降動作において急激な移動を抑制するために設けられている。
【０００６】
尚、前支持リンク２８ａの下端部と前支持リンク２８ｂの下端部とは連結体２９によって一体的に連結されている。これによって左右の平行支持リンクの各々が一体化することになり、昇降棚６３が仮に剛性の低いものであっても、安定した昇降動作が確保される。
【０００７】
このように昇降装置６１は構成されていることから、昇降棚６３を仮想線で示すように収納ケース１２に対して水平状態を保ったまま前方下方に引出すことが可能となる、これによって昇降棚６３に対して物品を収納したり取出したりすることが容易となる。物品の収納等が終了すると昇降棚６３を一点鎖線の方向に後方を上方に持ち上げると、収納ケース１２に昇降棚６３が収納されることになる。
【０００８】
【発明が解決しようとする課題】
上記のような従来の昇降装置では、連結体２９を左右の前支持リンク２８ａ，前支持リンク２８ｂの各々に架け渡してこれらを固定する構造は、安定した昇降動作を確保するために必要なものであるが、そのため昇降装置の組立てに支障が生じていた。
【０００９】
図６は図４で示した“Ｘ”部分に対応する拡大断面図である。
【００１０】
図を参照して、昇降装置を組立てる際には、前支持リンク２８の下方端部にダボ軸７７を取付けてこれをかしめることによって前支持リンク２８に固定する。そして、両側の前支持リンク２８に連結体２９を当接させてこれを溶接することによって、前支持リンク２８の各々を一体固定する。
【００１１】
次にこの状態で図６の（２）に示されているように、前支持リンク２８に固定されたダボ軸７７を機構ボックス７０ｂの枠体１１に形成された開口２６に係合させる。そしてダボ軸７７の外周にブッシュナット７８を取り付けて、前支持リンク２８をダボ軸７７によって軸支する状態にセットする。この状態で機構ボックス７０ｂの枠体１１を収納ケース１２に取付けることによって、昇降装置の取付が完了する
前支持リンク２８の軸支構造はこのようになっているため、枠体１１を先に収納ケース１２に取付けた状態で前支持リンク２８のダボ軸７７をセットすることができない。すなわち、図６の（２）に示した状態でダボ軸７７を枠体１１に係合させておき、これを収納ケース１２に取付ける必要がある。
【００１２】
このとき、左右の前支持リンク２８ａ，前支持リンク２８ｂは連結体２９を介して一体化されているため、左側の機構ボックス７０ａに対しても前支持リンク２８ａを取付けた状態で収納ケース１２内にこれらを移動させる必要がある。ところが、左右の機構ボックス７０ａ，機構ボックス７０ｂの各々の取付面間の距離は収納ケース１２の内側面間の距離に対してほとんど余裕がない。そのため、収納ケース１２の内面を機構ボックス７０ａ，機構ボックス７０ｂ等によって傷つけてしまう恐れがあるとともに、その取付が容易ではなく取付作業に時間がかかってしまう。
【００１３】
この発明は上記のような課題を解決するためになされたもので、左右の支持リンクの一体化を確保しつつ、その取付作業が容易となる昇降装置を提供することを目的とする。
【００１４】
【課題を解決するための手段】
上記の目的を達成するために、請求項１記載の発明は、一方が収納ケースに収納された昇降棚の両側壁に取付けられ、他方が収納ケースの内側壁側に設置される機構ボックスに取付けられた一対の平行支持リンクによって、昇降棚を収納ケースから前方下方に移動自在とする昇降装置であって、平行支持リンクの各々において対向する支持リンクの少なくとも一方同士に架け渡して、それらを連結固定する連結体と、機構ボックス内に移動自在に配置され、連結体が固定される支持リンクの各々を脱着自在に軸支する軸体とを備え、軸体は支持リンク側に突き出るようにバネ手段によって付勢され、連結体の両端部には軸受が取付けられ、軸受及び連結体が固定される支持リンクの部分には、軸体が突き出たときにこれに係合するように整列された開口が各々形成されるものである。
このように構成すると、収納ケースにセットする際、連結体を介して一体となった一対の支持リンクと機構ボックスとを分離状態にできる。又、軸体は付勢された状態で軸受及び支持リンクに係合する。
【００１７】
請求項２記載の発明は、一方が収納ケースに収納された昇降棚の両側壁に取付けられ、他方が収納ケースの内側壁側に設置される機構ボックスに取付けられた一対の平行支持リンクによって、昇降棚を収納ケースから前方下方に移動自在とする昇降装置であって、平行支持リンクの各々において対向する支持リンクの少なくとも一方同士に架け渡して、それらを連結固定する連結体と、機構ボックス内に移動自在に配置され、連結体が固定される支持リンクの各々を脱着自在に軸支する軸体とを備え、軸体は支持リンク側に移動及び停止できるスライダーに取付けられ、軸受及び連結体が固定される支持リンクの部分には、軸体が突き出たときにこれに係合するように整列された開口が各々形成されるものである。
【００１８】
このように構成すると、収納ケースにセットする際、連結体を介して一体となった一対の支持リンクと機構ボックスとを分離状態にできる。又、スライダーの移動によって軸体は軸受及び支持リンクに係合する。
【００１９】
請求項３記載の発明は、請求項２記載の発明の構成において、軸体はその中央部がくびれた首部を有し、連結体及び軸受には、これを貫通して首部に当接するセットボルトが螺合自在に取付けられるものである。
【００２０】
このように構成すると、セットボルトが軸体の首部に当接した状態では、軸体の軸方向への移動が阻止される。
【００２１】
請求項４記載の発明は、一方が収納ケースに収納された昇降棚の両側壁に取付けられ、他方が収納ケースの内側壁側に設置される機構ボックスに取付けられた一対の平行支持リンクによって昇降棚を収納ケースから前方下方に移動自在とする昇降装置であって、平行支持リンクの各々において対向する支持リンクの少なくとも一方同士に架け渡してこれらを連結固定する連結体と、連結体の両端部内に収納され、連結体が固定された支持リンクの部分を貫通して機構ボックス側に対して突出し自在に係合し、連結体が固定された支持リンクの各々を軸支する軸体とを備えたものである。
【００２２】
このように構成すると、収納ケースにセットする際、連結体を介して一体となった一対の支持リンクと機構ボックスとを分離状態にできる。
【００２３】
請求項５記載の発明は、請求項４記載の発明の構成において、軸体は機構ボックス側に突き出るようにバネ手段によって付勢され、機構ボックスには、バネ手段に抗してピンを介して軸体を連結体側に移動させ、且つ所定の位置に停止させるスライダーが取付けられるものである。
【００２４】
このように構成すると、軸体は付勢された状態で機構ボックス側に係合する。
【００２５】
請求項６記載の発明は、請求項５記載の発明の構成において、軸体はその中央部がくびれた首部を有し、且つ連結体の両端部に取付けられた軸保持体に配置され、連結体及び軸保持体には、これらを貫通して首部に当接するセットボルトが螺合自在に取付けられるものである。
【００２６】
このように構成すると、セットボルトが軸体の首部に当接した状態では、軸体の軸方向への移動が阻止される。
【００２７】
【発明の効果】
以上説明したように、請求項１記載の発明は、一対の支持リンクと機構ボックスとを分離状態で収納ケースにセットできるため、セットが容易となるとともに、機構ボックス等で収納ケースを傷つける恐れも低減する。又、軸体は付勢された状態で軸受及び支持リンクに係合するため、軸体による軸支状態が安定する。
【００２９】
請求項２記載の発明は、一対の支持リンクと機構ボックスとを分離状態で収納ケースにセットできるため、セットが容易となるとともに、機構ボックス等で収納ケースを傷つける恐れも低減する。又、スライダーの移動によって軸体が係合するため、軸体の軸支状態と軸支解除状態とを容易に変更できるため使い勝手が良い。
【００３０】
請求項３記載の発明は、請求項２記載の発明の効果に加えて、セットボルトによって軸体の軸方向への移動が阻止されるため、安定した支持リンクの軸支状態が保たれ、装置の信頼性が向上する。
【００３１】
請求項４記載の発明は、一対の支持リンクと機構ボックスとを分離状態で収納ケースにセットできるため、セットが容易となるとともに機構ボックス等で収納ケースを傷つける恐れも低減する。
【００３２】
請求項５記載の発明は、請求項４記載の発明の効果に加えて、軸体は付勢された状態で係合するため、軸体による軸支状態が安定する。
【００３３】
請求項６記載の発明は、請求項５記載の発明の効果に加えて、セットボルトによって軸体の軸方向への移動が阻止されるため、安定した支持リンクの軸支状態が保たれ、装置の信頼性が向上する。
【００３４】
【発明の実施の形態】
図１はこの発明の第１の実施の形態による昇降装置の要部を示す断面図であって、従来例として示した図４の“Ｘ”部分に対応した図である。
【００３５】
図を参照して、図１の（１）に示されているように、機構ボックス７０の枠体１１内には、円柱形状を有した軸体１５を支持するための保持フレーム１９が取付けられている。軸体１５の右方向端部は、移動自在な支持板１７に固定されている。そして支持板１７と保持フレーム１９の折曲げ板２０との間には圧縮バネ２１が配置されている。
【００３６】
支持板１７の左側面には係合部２２が係合しており、この係合部２２とその下方端部が折り曲げられた把持部２３とによってスライダー１８が構成されている。スライダー１８は、枠体１１の下方面に形成された開口２４を通して外方に伸び、開口２４の形状によって図において左右方向に移動自在となるように構成されている。
【００３７】
軸体１５は支持板１７に取付けられた状態で、枠体１１の下方部に形成された開口２６を通して外方に突き出るように配置されている。従って、スライダー１８を図面において右側に移動するように操作すると、圧縮バネ２１はその分圧縮された状態となり、図１の（２）に示すように軸体１５は枠体１１に内部に引き込まれるように移動する。この状態で軸体１５は圧縮バネ２１によって図１の（１）の状態となるように付勢されることになる。
【００３８】
一方、連結体２９の両端部には図１の（２）に示されているような厚肉円筒形状の軸受３０が取付けられている。軸受３０の中空部３３は軸体１５がその中を摺動自在となるような径を有しており、その中間部に軸受３０に螺合したセットボルト３４が連結体２９を介して挿通されるように構成されている。又、前支持リンク２８の下方端部にも軸体１５が摺動自在となるような径の開口３２が形成されている。そして軸受３０の中空部３３と前支持リンク２８の開口３２とを整列した状態に連結体２９をセットし、これを溶接等によって前支持リンク２８に連結固定する。
【００３９】
前支持リンク２８を枠体１１に取り付ける際には、図１の（２）に示されているように、スライダー１８を右方向に移動させることによって軸体１５を枠体１１内部に収納する。そして前支持リンク２８の開口３２が軸体１５の先端に面するような位置にセットする。この状態でスライダー１８に加えている力を緩めると、図１の（３）に示されているように、軸体１５は圧縮バネ２１の付勢力によって支持板１７を介して左方向に移動する。
【００４０】
移動した軸体１５は前支持リンク２８の開口３２及び軸受３０の中空部３３内に挿入され、前支持リンク２８は軸体１５によって軸支された状態となる。この状態でセットボルト３４を軸受３０に螺合させて軸体１５に当接させることによって、軸体１５は前支持リンク２８に固定されることになる。これによって前支持リンク２８は、軸体１５に軸支された状態で安定した回動動作が可能となる。
【００４１】
このようにこの実施の形態においては、両側の機構ボックス７０をまず収納ケース１２に取り付けておき、その後連結体２９によって連結固定されて一体化された前支持リンク２８をセットすることが可能となる。また前支持リンク２８の取付も、スライダー１８を操作することによって簡単に軸体１５を介して枠体１１に接続できるため、取付の作業効率を向上する。
【００４２】
尚、前支持リンク２８を枠体１１から分離する際には、セットボルト３４を緩め、スライダー１８を右側に移動させることによって容易に軸体１５との係合状態を解除してこれを取外すことが可能となる。
【００４３】
図２はこの発明の第２の実施の形態による昇降装置の要部を示す断面図であって、従来例として示した図４の“Ｘ”部分に対応した図である。
【００４４】
図を参照して、前支持リンク２８側の構造は図２の（１）に示されているように、先の第１の実施の形態によるものと基本的に同一構造を有している。
【００４５】
一方、機構ボックス７０の枠体１１内の構造が異なっている。すなわち、軸体４０は軸方向長さの短い頭部３６と、頭部３６に接続されその径が小さな首部３７と、首部３７に接続され、頭部３６の径と同じであるがその軸方向長さが長い胴部３８とによって構成されている。胴部３８の右側端部は、スライダー１８を構成する係合部２２に軸方向まわりに回動自在に取付けられている。
【００４６】
スライダー１８は枠体１１の下面に形成された開口２４を介して、図において左右方向に移動自在となっている。尚、前支持リンク２８の開口３２及び軸受３０の中空部３３の径は同一で且つ整列されており、その中を軸体４０の頭部３６及び胴部３８が摺動自在となるように設定されている。又、連結体２９に凹部４１が形成されているのは、連結体２９の両端部に取付けられた軸受３０が連結体２９の内面に対して回動するのを防止するためである。
【００４７】
組立てに際しては、まず機構ボックス７０を収納ケース１２に取付ける。次に、図２の（１）に示されているように、スライダー１８を右側に操作することによって軸体４０を枠体１１内に引き込んだ状態にセットする。この状態で連結体２９によって連結固定された前支持リンク２８を、その開口３２が軸体４０の頭部３６に面するようにセットする。
【００４８】
次に図２の（２）に示されているように、スライダー１８を操作して図において左方向に移動させる。これによって軸体４０は枠体１１の開口２６から前支持リンク２８側に突き出るように移動して、前支持リンク２８の開口３２及び中空部３３に挿入される。次にセットボルト３４を軸受３０に螺合させて、その下端部が軸体４０のくびれた首部３７に当接するようにセットする。これによって、軸体４０はその軸方向への移動がセットボルト３４によって阻止され、前支持リンク２８に対する安定した接続状態が保たれる。
【００４９】
前支持リンク２８の回動時には軸体４０が一体となって回動し、この状態で軸体４０は枠体１１によって安定して支えられる。尚、前支持リンク２８を枠体１１から取り外すには、セットボルト３４を緩めスライダー１８を右側に移動させて軸体４０の前支持リンク２８に対する係合状態を解除すれば良い。
【００５０】
図３はこの発明の第３の実施の形態による昇降装置の要部を示す断面図であって、従来例で示した図４の“Ｘ”部分に対応する図である。
【００５１】
図を参照して、図３の（１）に示されているように、連結体２９の両端部には、その軸方向の長さが長い円柱形状の軸保持体４３が取付られている。尚、軸保持体４３に対して、凹部４１によってその軸方向を中心とする連結体２９の内面に対する回動が阻止されるように構成されている。
【００５２】
軸保持体４３の中央部には、前支持リンク２８側を開放とする円柱状の中空部３３が形成されている。中空部３３の内部には、その底面側に位置する圧縮バネ４６と圧縮バネ４６に当接する軸体４０とが設置されている。軸体４０は中空部３３に接する円柱形状の頭部３６と、頭部３６に接続しその径が小さな円柱形状の首部３７と、首部３７に接続され、頭部３６の径と同一径の胴部３８とから構成されている。尚、頭部３６及び胴部３８の外径は中空部３３の内面を摺動自在となるような寸法に設定されている。又、連結体２９の端部側には、連結体２９及び軸保持体４３を貫通するように螺合するセットボルト３４が取付けられている。
【００５３】
一方、機構ボックス７０の枠体１１内には、枠体１１の下面に形成された開口２４を介して図において左右に移動自在なスライダー１８が取付けられている。スライダー１８を構成する係合部２２の上方端部には、円柱形状のピン４５が取付けられている。又、枠体１１の下方部には開口２６が形成されており、開口２６は軸体４０の胴部３８が摺動自在となるような寸法に設定されている。そしてピン４５の外径は開口２６の内径より小さく設定されており、且つこれらはその軸方向に整列するように配置されている。
【００５４】
組立てに際しては、まず機構ボックス７０を収納ケース１２に取付ける。次に、軸体４０を軸保持体４３の中空部３３内部に押し込んだ状態にして、セットボルト３４を胴部３８に対して当接状態となるようにセットする。この状態では圧縮バネ４６が圧縮された状態となるため、軸体４０は前支持リンク２８から外方に突き出るように付勢される。しかしセットボルト３４の下端が胴部３８に当接されているため、軸体４０の外方への移動は生じずその状態が保持される。
【００５５】
一方、スライダー１８は図３の（１）に示されているように、右側の位置に移動させておく。この状態で連結体２９によって連結固定された前支持リンク２８を、その軸体４０が枠体１１の開口２６に面するような位置にセットする。
【００５６】
次に、この状態でセットボルト３４を緩める。すると、胴部３８との当接状態が解除されるため、圧縮バネ４６の付勢力によって軸体４０は前支持リンク２８から突き出るように移動する。そして軸体４０は開口２６を通して枠体１１内に挿入され、胴部３８の右側端部はピン４５に当接してその移動が停止する。
【００５７】
この状態を示したのが図３の（２）である。この位置においてはセットボルト３４の下方端部が軸体４０のくびれた首部３７に面するように設定されている。そこで、セットボルト３４を螺合させてその下方端部が首部３７に当接するようにセットする。これによって、軸体４０は軸方向への移動が阻止された状態となる。その結果軸体４０は前支持リンク２８に対して安定した固定状態が確保される。すなわち、前支持リンク２８が回動すると軸体４０は一体となって回動し、枠体１１に形成された開口２６によって軸支されることになる。
【００５８】
前支持リンク２８を枠体１１から取外す際には、図３の（３）に示されているように、セットボルト３４を緩め、スライダー１８を図において左方向に移動させる。これによってスライダー１８の係合部２２に取付けられているピン４５を介して、軸体４０は軸保持体４３の中空部３３内に押し込まれるように移動する。軸体４０の胴部３８の枠体１１の開口２６に対する係合状態が解除されると、その状態でセットボルト３４を螺合させることによって軸体４０の軸方向への移動を停止させる。そして前支持リンク２８を枠体１１から分離するように移動させることによって取付状態が解除される。
【００５９】
尚、上記の各実施の形態では、前支持リンクに固定された軸体を機構ボックスの枠体で支持して前支持リンクを軸支しているが、移動自在の軸体を機構ボックス側に固定しておき軸体自身で前支持リンクを軸支する構成しても良い。
【００６０】
又、上記の各実施の形態では、連結体は前支持リンク同士を連結固定しているが、後支持リンク同士を連結固定しても良く、又は、前支持リンク及び後支持リンクのいずれをも連結固定するようにしても良い。
【００６１】
更に、上記の各実施の形態では、連結体を溶接にて前支持リンクに固定しているが、溶接以外の方法で固定しても良い事は言うまでもない。
【００６２】
更に、上記の第２及び第３の実施の形態では、軸体にくびれた首部を形成しているが、この首部は必ずしも必要なものではなく、又、他の構成によって軸方向への移動を阻止するようにしても良い。
【００６３】
更に、上記の各実施の形態では、両側の機構ボックスの各々内に渦巻きバネやオイルダンパーを設けたものを前提としているが、これらの支持リンクの動作制御機構をいずれか一方の機構ボックスにのみ設けるように構成した昇降装置にも同様に適用できる。
【図面の簡単な説明】
【図１】この発明の第１の実施の形態による昇降装置の要部を示す断面図である。
【図２】この発明の第２の実施の形態による昇降装置の要部を示す断面図である。
【図３】この発明の第３の実施の形態による昇降装置の要部を示す断面図である。
【図４】従来の昇降装置の概略構成を示す正面図である。
【図５】図４で示したＶ−Ｖラインの断面図である。
【図６】図４で示した“Ｘ”部分の拡大断面図である。
【符号の説明】
１２…収納ケース
１５…軸体
１８…スライダー
２１…圧縮バネ
２８…前支持リンク
２９…連結体
３０…軸受
３２…開口
３３…中空部
３４…セットボルト
３７…首部
４０…軸体
４３…軸保持体
４６…圧縮バネ
尚、各図中同一符号は同一又は相当部分を示す。
【図１】
0003677234.tif 000002
【図２】
0003677234.tif 000003
【図３】
0003677234.tif 000004
【図４】
0003677234.tif 000005
【図５】
0003677234.tif 000006
【図６】
0003677234.tif 000007